(57)【要約】【課題】  高齢者や身障者などの方々が楽に出入りできる浴槽を提供する。【解決手段】浴槽１の側壁３に切欠部６を設け、この切欠部６が開閉ユニットＵで密封封止される浴槽で、開閉ユニットＵは板状部材７とこの板状部材７が嵌め込まれる固定部材１１とで構成される。前記板状部材７にはその両端に且つ両面に挟持板１４ａ、１４ｂおよび挟持板１５ａ、１５ｂが取り付けられており、前記挟持板１４ａ、１４ｂおよび挟持板１５ａ、１５ｂで切欠部６の周囲に位置する側壁３に挟持、固定し、切欠部６を密封封止した浴槽である。【選択図】図３
2018079270.tif 000002
【特許請求の範囲】
【請求項１】
床面から上側に突出する側壁を有する浴槽であって、前記浴槽の前記側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その両側壁と底部には凸部または凹部が設けられており、
前記固定部材は、前記板状部材の両側壁がそれぞれ嵌り込む一対の柱状部材と、前記一対の柱状部材を連結するとともに板状部材の底部が嵌り込む床部材とからなり、前記柱状部材の両側面には挟持板が取り付けられており、
前記浴槽の切欠部には前記固定部材が配置され、前記固定部材の挟持板にて前記浴槽の側壁が挟持されるとともに、前記固定部材の底部が前記浴槽の切欠部の底部に密着、固定されており、
前記板状部材の凸部または凹部が、前記固定部材の柱状部材の両側壁と底部に設けられた固定部材側凹部または固定部材側凸部に嵌め込まれていることを特徴とする浴槽。
【請求項２】
前記板状部材は、前記固定部材の前記柱状部材と前記床部材で囲まれるスペースに対して、上下方向に移動するものである、請求項１に記載の浴槽。
【請求項３】
前記板状部材は、当該板状部材の上面一端部が前記固定部材に取り付けられており、当該取り付け位置を支点とし、前記板状部材の上面他端部が自由端となって回動し、前記板状部材が前記固定部材の前記柱状部材と前記床部材で囲まれるスペースに対して移動するものである、請求項１に記載の浴槽。
【請求項４】
前記浴糟の前記スペースの位置に対応する浴槽底部に踏み台が設けられている、請求項１に記載の浴槽。
【発明の詳細な説明】
【技術の分野】
【０００１】  この発明は浴槽の改良に関し、特に、高齢者や身障者等の方々が利用するのに適した浴槽に関する。
【背景技術】
【０００２】  一般に浴槽の深さは６０〜６５ｃｍで、洗い場の浴槽の縁までの高さが３０〜４５ｃｍのものが多く、高齢者や身障者等にとって側壁が高すぎるため、浴槽を跨いで浴槽内に入るときや、浴槽外に出るときに負担を強いられる。
このような負担を軽減するために、浴槽の出入り部の側壁に、この側壁の上面から床面側に向けて切り欠かれた切欠部を設け、この切欠部を液密状態で塞ぐ開閉自在の閉塞部材を有するものが提案されている（特許文献１）。
また、浴槽のエプロンの一部に人が入れるようにドアを付け、ドアを閉めてお湯を入れてもお湯が漏れないようにした浴槽が提案されている（特許文献２）。
【先行技術文献】
【特許文献】
【０００３】
【特許文献１】  特開平８−１５４８５７号公報
【特許文献２】  特開２００２−３３６３２５号公報
【発明の概要】
【発明が解決しようとする課題】
【０００４】  上記したような浴槽を利用しようとすると、新規に浴槽を設置する場合は施工に困難はない。しかし、すでに浴槽を設置している場合には、既存の浴槽を撤去し、その上で新規に浴槽を設置しなければならず、浴槽の撤去、新規浴槽の施工に時間を要し、費用も嵩むことになる。
この発明は、既存の浴槽を撤去することなく、既存の浴槽を改良する構造を提案することにより、高齢者や障害者の方々が楽に出入りできる浴槽を提供することを目的とする。
【課題を解決するための手段】
【０００５】  上記した課題を解決するため、この発明の第１の要旨とするところは、以下の構成からなる。
この発明の第１の要旨とするところは、
床面から上側に突出する側壁を有する浴槽であって、前記浴槽の前記側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その両側壁と底部には凸部または凹部が設けられており、
前記固定部材は、前記板状部材の両側壁がそれぞれ嵌り込む一対の柱状部材と、前記一対の柱状部材を連結するとともに板状部材の底部が嵌り込む床部材とからなり、前記柱状部材の両側面には挟持板が取り付けられており、
前記浴槽の切欠部には前記固定部材が配置され、前記固定部材の挟持板にて前記浴槽の側壁が挟持されるとともに、前記固定部材の底部が前記浴槽の切欠部の底部に密着、固定されており、
前記板状部材の凸部または凹部が、前記固定部材の柱状部材の両側壁と底部に設けられた固定部材側凹部または固定部材側凸部に嵌め込まれていることを特徴とする浴槽。【０００６】  また、この発明の第２の要旨とするところは、前記板状部材は、前記固定部材の前記柱状部材と前記床部材で囲まれるスペースに対して、上下方向に移動するものである第１の要旨に記載の浴槽である。
また、この発明の第３の要旨とするところは、前記板状部材は、当該板状部材の上面一端部が前記固定部材に取り付けられており、当該取り付け位置を支点とし、前記板状部材の上面他端部が自由端となって回動し、前記板状部材が前記固定部材の前記柱状部材と前記床部材で囲まれるスペースに対して移動するものである第１の要旨に記載の浴槽である。
さらに、この発明の第４の要旨とするところは、前記浴槽の前記スペースの位置に対応する浴槽底部に踏み台が設けられている第１の要旨に記載の浴槽である。
【発明の効果】
【０００７】  この発明にかかる浴槽によれば、高齢者、身障者の方々であっても、浴槽内や浴槽外に足を楽に出し入れすることができる。
また、この発明にかかる浴槽によれば、既存の浴槽に改良を加えることで、浴槽を撤去せずに高齢者、障害者の方々が楽に出入りできる浴槽が提供できる。より具体的には、浴槽の側壁に取り外しのできる板状部材を設けているので、この板状部材を取り外すことで浴槽の側壁の一部を低くすることができ、身障者や高齢者の方々が入浴しやすくなる。
【図面の簡単な説明】
【０００８】
【図１】浴室内に設置した浴槽を示す斜視図である。
【図２】浴槽の側壁を切欠いて形成された切欠部と切り欠いた板を示す斜視図である。
【図３】この発明に係る浴槽について、浴槽の切欠部を閉塞する開閉ユニットの一例を示す斜視図である。
【図４】図３で示した開閉ユニットで浴槽の切欠部を閉塞した状態を示す概略斜視図である。
【図５】切欠部付近の浴槽内底部に踏み台を設置した状態を示す概略斜視図である。
【図６】この発明に係る浴槽について、浴槽の切欠部を閉塞する開閉ユニットの他の例を示す斜視図である。
【図７】図６に示した開閉ユニットにおいて、板状部材を固定部材に対して回動するように取り付けるための取り付け部材を示し、（Ａ）は蝶番タイプのもの、（Ｂ）はベルトタイプのものを示す斜視図である。
【図８】図６で示した開閉ユニットで浴槽の切欠部を閉塞した状態を示す概略斜視図である。
【発明を実施するための形態】
【０００９】  以下、本発明の実施形態を図面に基づいて説明する。
図１は、浴室内に設置した浴槽を示す斜視図で、浴槽１に開閉ユニットが設置、固定される前の状態を示している。
図１において、浴室に設置されている浴槽１は床面２から上側に側壁３が突出している。浴槽１の出入り側の側壁３の一部に、破線４で区画された略四角形状の側壁板材５が示されている。この側壁板材５の底部は床面２より上方に位置している。
図２において、破線４で区画された側壁を切断して形成された切欠部６が示されており、切欠部６を形成することで側壁板材５が取り除かれる。
【００１０】  図３はこの発明で用いられる開閉ユニットＵを示している。開閉ユニットＵは、プラスチックなどの素材からなる板状部材７と、この板状部材７が嵌合されるとともに浴槽１の側壁３に固定されるプラスチックなどの素材からなる固定部材１１とから構成されている。
まず、板状部材７について説明する。この板状部材７の左右の側壁にはそれぞれ凸部８ａ、凸部８ｂが設けられており、底部にも凸部９が設けられている。凸部８ａ、凸部８ｂと凸部９は互いにその端部同士が繋がっている。なお、凸部８ａ、凸部８ｂ、および凸部９としては、弾性材、たとえば、ゴム材などが用いられ、固定部材１１と密着状態が作りだせるものが用いられる。また板状部材７の上面には取っ手１０が取り付けられている。なお、この板状部材７として、切欠部６を形成したときに取り除かれた側壁板材５を用いても良い。
【００１１】  次ぎに、固定部材１１の構成について説明する。この固定部材１１は板状部材７の両側に位置し、この板状部材７の両側壁がそれぞれ嵌合する一対の柱状部材１２ａ、１２ｂと、板状部材７の底部が嵌合する床部材１３を有する。柱状部材１２ａ、１２ｂと床部材１３とは一体になっており、板状部材７を嵌合して受入れるスペースＳが形成されている。柱状部材１２ａの両面には挟持板１４ａ、１４ｂが取り付けられており、挟持板１４ａと挟持板１４ｂとの間には空間１６が設けられている。また柱状部材１２ｂの両面には挟持板１５ａ、１５ｂが取り付けられており、挟持板１５ａと挟持板１５ｂとの間には空間１７が設けられている。図４に示すように、空間１６、１７には浴槽１の側壁３が嵌まり込み、接着剤などで固定部材１１が浴槽１に固定される。
【００１２】  固定部材１１の柱状部材１２ａ、１２ｂのスペースＳ側の側壁には固定部材側凹部１８ａ、１８ｂが設けられている。また、固定部材１１の床部材１３の上面には固定部材側凹部１９が設けられている。
固定部材側凹部１８ａ、１８ｂは柱状部材１２ａ、１２ｂに直接設けても良いし、別の素材で構成しても良い。また、固定部材側凹部１９は床部材１３に直接設けても良いし、別の素材で構成しても良い。要は、固定部材側凹部１８ａ、１８ｂ、および１９ａを構成する素材としては、板状部材７の凸部８ａ、凸部８ｂ、および凸部９と密着し、かつ板状部材７を上下動させるときに支障がない素材を用いればよい。例えば、固定部材側凹部１８ａ、１８ｂ、および１９ａを別の素材で構成する場合、凸部８ａ、凸部８ｂ、および凸部９の構成材料であるゴムなど同じような弾性材を用いてもよい。
【００１３】  このように板状部材７および固定部材１１を構成することによって、板状部材７を固定部材１１のスペースＳに向け、上方から下方に向けて下げて行き、板状部材７の凸部８ａ、凸部８ｂを固定部材１１の固定部材側凹部１８ａ、１８ｂに嵌め合せる。さらに板状部材７をその底部にある凸部９が固定部材１１の固定部材側凹部１９に嵌め合うまで押し込むことにより、互いに密着し、水漏れ等が発生しない状態となる。
【００１４】  以上の構成からなる開閉ユニットＵを図２に示した浴槽１に取り付ける様子を説明する。
図３に示した開閉ユニットＵのうち、固定部材１１を図２に示した浴槽１の切欠部６に位置させる。このとき、固定部材１１の空間１６および空間１７を浴槽１の側壁３に配置し、固定部材１１の挟持板１４ａ、１４ｂ、および挟持板１５ａ、１５ｂを浴槽１の側壁３に接着剤などを用いてしっかりと密着、固定する。また、固定部材１１の床部材１３の底部も切欠部６の底部に接着剤などで固定し、密着状態に仕上げる。このようにして、図４に示すように、切欠部６に開閉ユニットＵをセットした浴槽１が完成することになる。なお、このときは、板状部材７はあらかじめ固定部材１１に嵌め込んでもよいし、固定部材１１を浴槽１に先に取り付けた後に板状部材７を嵌め込んでもよい。
【００１５】  上記した例では、板状部材７の両側壁と底部に凸部を設けたが、凸部の代わりに凹部を設けてもよい。この場合、板状部材７の凹部に対応して固定部材１１の柱状部材または床部材には板状部材７の凹部に嵌り合う凸部を設ければよい。
また、図５に示すように、浴槽１のスペースＳの内側底部側には、踏み台２０が設けられている。
【００１６】  このような構成からなる浴槽１を利用する場合、開閉ユニットＵの板状部材７を固定部材１１の柱状部材１２ａ、１２ｂと床部材１３で囲まれるスペースＳに対して、上下方向に移動することになる。すなわち、板状部材７を上方に持ち上げると、浴槽１のスペースＳが開放され、高齢者、身障者の方々が低くなったスペースＳから浴槽１内に容易にかつ安定した状態で楽に入れることができる。また、板状部材７を押下げてスペースＳを閉塞し、浴槽１内に湯を注入すれば、湯面は従来の浴槽の湯面と同一レベルとなり、入浴が可能となる。
【００１７】  浴槽１から出る場合は、浴槽１からお湯を浴槽１の底部にある排出口から流出させる一方、板状部材７を上方に持ち上げると、スペースＳが開放され、高齢者、身障者の方々が浴槽１内から低くなったスペースＳを跨いで浴槽２から安定した状態で楽に出ることができる。
【００１８】  次ぎに、この発明に係る浴槽において、他の開閉ユニットを用いたものについて説明する。
図６は開閉ユニットの他の例を示しており、先の開閉ユニットと同じ構成のものについては、同じ符号を用いている。
この開閉ユニットの大きな特徴は、板状部材７が、この板状部材７の上面一端部が固定部材１１に対して固定され、板状部材７の上面他端部が自由端となって回動するように取り付けられている点にある。
具体的には、図７（Ａ）、（Ｂ）に示す蝶番Ｈを用いている。（Ａ）は蝶番タイプのもの、（Ｂ）はゴム、プラスチックなど折曲可能な可撓性部材からなるベルトタイプのものである。
板状部材７はその上面一端部に蝶番Ｈの一方端が取り付けられ、蝶番Ｈの他方端部が固定部材１１に取り付けられている。このような構成によれば、蝶番Ｈを取付けた位置を支点として、板状部材７の上面他端部が自由端となって回動し、板状部材７が固定部材１１の柱状部材１１の柱状部材１２ａ、１２ｂと床部材１３で囲まれるスペースＳを回動しながら移動することになる。
【００１９】  ここで、図６から明らかなように、板状部材７が破線で示すように回動する機構であることから、固定部材１１のスペースＳに嵌り込むように、板状部材７の凸部８ｂ側が円弧形状に構成されている。一方、固定部材１１においても、板状部材７が破線で示した軌跡を描きながら、図示したように左周りに移動しても、板状部材７がスペースＳにスムーズに嵌り込むように、凹部１８ｂの形状は凸部８ｂに対応する円弧形状となっている。
図８は、板状部材７が固定部材１１に嵌り込んで浴槽１のスペースＳを閉塞した状態を示している。
【００２０】  図６〜図８で示した他の例においても、板状部材７を右側に回動すると、スペースＳが開放され、高齢者、身障者の方々が低くなったスペースＳから浴槽１内に容易にかつ安定した状態で楽に入れることができる。また、板状部材７を左側に回動させてスペースＳを閉塞すると、浴槽１内に湯を注入することにより、湯面は従来の浴槽の湯面と同一レベルとなり、入浴が可能となる。
浴槽１から出る場合は、浴槽１からお湯を浴槽１の底部にある排出口から流出させる一方、板状部材７を右側に回動させると、切欠部６が開放され、高齢者、身障者の方々が浴槽１内から低くなったスペースＳを跨いで浴槽２から楽に出ることができる。
【符号の説明】
【００２１】１    浴槽
２    床面
３    側壁
６    切欠部
７    板状部材
８ａ、８ｂ  凸部
９    凸部
１１  固定部材
１２ａ、１２ｂ  柱状部材
１３    床部材
１４ａ、１４ｂ  挟持板
１５ａ、１５ｂ  挟持板
１６、１７    空間
１８ａ、１８ｂ  固定部材側凹部
１９    固定部材側凹部
Ｈ      蝶番
Ｓ      スペース
Ｕ      開閉ユニット
【図１】
2018079270.tif 000003
【図２】
2018079270.tif 000004
【図３】
2018079270.tif 000005
【図４】
2018079270.tif 000006
【図５】
2018079270.tif 000007
【図６】
2018079270.tif 000008
【図７】
2018079270.tif 000009
【図８】
2018079270.tif 000010
【手続補正書】
【提出日】平成29年7月13日(2017.7.13)
【手続補正１】
【補正対象書類名】特許請求の範囲
【補正対象項目名】請求項４
【補正方法】変更
【補正の内容】
【請求項４】
前記浴槽の前記スペースの位置に対応する浴槽底部に踏み台が設けられている、請求項２または請求項３に記載の浴槽。
【手続補正２】
【補正対象書類名】明細書
【補正対象項目名】０００６
【補正方法】変更
【補正の内容】
【０００６】  また、この発明の第２の要旨とするところは、前記板状部材は、前記固定部材の前記柱状部材と前記床部材で囲まれるスペースに対して、上下方向に移動するものである第１の要旨に記載の浴槽である。
また、この発明の第３の要旨とするところは、前記板状部材は、当該板状部材の上面一端部が前記固定部材に取り付けられており、当該取り付け位置を支点とし、前記板状部材の上面他端部が自由端となって回動し、前記板状部材が前記固定部材の前記柱状部材と前記床部材で囲まれるスペースに対して移動するものである第１の要旨に記載の浴槽である。
さらに、この発明の第４の要旨とするところは、前記浴槽の前記スペースの位置に対応する浴槽底部に踏み台が設けられている第２または第３の要旨に記載の浴槽である。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
床面から上側に突出する側壁を有する浴槽であって、前記浴槽の前記側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その両側壁と底部には凸部または凹部が設けられており、
前記固定部材は、一対の柱状部材と、この一対の柱状部材と連結するとともに、この一対の柱状部材と一体になっている床部材と、挟持板とよりなり、
前記一対の柱状部材は前記板状部材の両側壁が嵌り込むものであり、
前記床部材は前記板状部材の底部が嵌り込むものであり、
前記挟持板は前記一対の柱状部材の両側面にそれぞれ取り付けられており、
前記浴槽の切欠部には前記固定部材が配置され、前記固定部材の挟持板にて前記浴槽の側壁が挟持されるとともに、前記固定部材の床部材の底部が前記浴槽の切欠部の底部に密着、固定されており、
前記板状部材の凸部または凹部が、前記固定部材の柱状部材の両側壁と底部に設けられた固定部材側凹部または固定部材側凸部に嵌め込まれており、前記板状部材は、前記固定部材の前記柱状部材と前記床部材で囲まれるスペースに対して上下方向に移動するものであることを特徴とする浴槽。
【請求項２】
床面から上側に突出する側壁を有する浴槽であって、前記浴槽の前記側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その両側壁と底部には凸部または凹部が設けられており、
前記固定部材は、一対の柱状部材と、この一対の柱状部材と連結するとともに、この一対の柱状部材と一体になっている床部材と、挟持板とよりなり、
前記一対の柱状部材は前記板状部材の両側壁が嵌り込むものであり、
前記床部材は前記板状部材の底部が嵌り込むものであり、
前記挟持板は前記一対の柱状部材の両側面にそれぞれ取り付けられており、
前記浴槽の切欠部には前記固定部材が配置され、前記固定部材の挟持板にて前記浴槽の側壁が挟持されるとともに、前記固定部材の床部材の底部が前記浴槽の切欠部の底部に密着、固定されており、
前記板状部材の凸部または凹部が、前記固定部材の柱状部材の両側壁と底部に設けられた固定部材側凹部または固定部材側凸部に嵌め込まれており、
前記板状部材は、当該板状部材の上面一端部が前記固定部材に取り付けられており、当該取り付け位置を支点とし、前記板状部材の上面他端部が自由端となって回動し、前記板状部材が前記固定部材の前記柱状部材と前記床部材で囲まれるスペースに対して移動するものであることを特徴とする浴槽。
【請求項３】
前記浴槽の前記切欠部の内部底側には、踏み台が設けられている、請求項１または請求項２に記載の浴槽。
【手続補正２】
【補正対象書類名】明細書
【補正対象項目名】０００５
【補正方法】変更
【補正の内容】
【０００５】  上記した課題を解決するために、この発明の第１の要旨とするところは、以下の構成からなる。
この発明の第１の要旨とするところは、
床面から上側に突出する側壁を有する浴槽であって、前記浴槽の前記側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その両側壁と底部には凸部または凹部が設けられており、
前記固定部材は、一対の柱状部材と、この一対の柱状部材と連結するとともに、この一対の柱状部材と一体になっている床部材と、挟持板とよりなり、
前記一対の柱状部材は前記板状部材の両側壁が嵌り込むものであり、
前記床部材は前記板状部材の底部が嵌り込むものであり、
前記挟持板は前記一対の柱状部材の両側面にそれぞれ取り付けられており、
前記浴槽の切欠部には前記固定部材が配置され、前記固定部材の挟持板にて前記浴槽の側壁が挟持されるとともに、前記固定部材の床部材の底部が前記浴槽の切欠部の底部に密着、固定されており、
前記板状部材の凸部または凹部が、前記固定部材の柱状部材の両側壁と底部に設けられた固定部材側凹部または固定部材側凸部に嵌め込まれており、前記板状部材は、前記固定部材の前記柱状部材と前記床部材で囲まれるスペースに対して上下方向に移動するものであることを特徴とする浴槽である。
【手続補正３】
【補正対象書類名】明細書
【補正対象項目名】０００６
【補正方法】変更
【補正の内容】
【０００６】  上記した課題を解決するために、この発明の第２の要旨とするところは、以下の構成からなる。
この発明の第２の要旨とするところは、
床面から上側に突出する側壁を有する浴槽であって、前記浴槽の前記側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その両側壁と底部には凸部または凹部が設けられており、
前記固定部材は、一対の柱状部材と、この一対の柱状部材と連結するとともに、この一対の柱状部材と一体になっている床部材と、挟持板とよりなり、
前記一対の柱状部材は前記板状部材の両側壁が嵌り込むものであり、
前記床部材は前記板状部材の底部が嵌り込むものであり、
前記挟持板は前記一対の柱状部材の両側面にそれぞれ取り付けられており、
前記浴槽の切欠部には前記固定部材が配置され、前記固定部材の挟持板にて前記浴槽の側壁が挟持されるとともに、前記固定部材の床部材の底部が前記浴槽の切欠部の底部に密着、固定されており、
前記板状部材の凸部または凹部が、前記固定部材の柱状部材の両側壁と底部に設けられた固定部材側凹部または固定部材側凸部に嵌め込まれており、
前記板状部材は、当該板状部材の上面一端部が前記固定部材に取り付けられており、当該取り付け位置を支点とし、前記板状部材の上面他端部が自由端となって回動し、前記板状部材が前記固定部材の前記柱状部材と前記床部材で囲まれるスペースに対して移動するものであることを特徴とする浴槽である。
さらに、この発明の第３の要旨とするところは、前記浴槽の前記切欠部の内側底部側には踏み台が設けられている、第１の要旨または第２の要旨に記載の浴槽である。
【手続補正４】
【補正対象書類名】明細書
【補正対象項目名】００１２
【補正方法】変更
【補正の内容】
【００１２】  固定部材１１の柱状部材１２ａ、１２ｂのスペースＳ側の側壁には固定部材側凹部１８ａ、１８ｂが設けられている。また、固定部材１１の床部材１３の上面には固定部材側凹部１９が設けられている。
固定部材側凹部１８ａ、１８ｂは柱状部材１２ａ、１２ｂに直接設けても良いし、別の素材で構成しても良い。また、固定部材側凹部１９は床部材１３に直接設けても良いし、別の素材で構成しても良い。要は、固定部材側凹部１８ａ、１８ｂ、および１９を構成する素材としては、板状部材７の凸部８ａ、凸部８ｂ、および凸部９と密着し、かつ板状部材７を上下動させるときに支障がない素材を用いればよい。例えば、固定部材側凹部１８ａ、１８ｂ、および１９を別の素材で構成する場合、凸部８ａ、凸部８ｂ、および凸部９の構成材料であるゴムなど同じような弾性材を用いてもよい。
【手続補正５】
【補正対象書類名】図面
【補正対象項目名】図３
【補正方法】変更
【補正の内容】
【図３】
2018079270.tif 000011
【手続補正６】
【補正対象書類名】図面
【補正対象項目名】図４
【補正方法】変更
【補正の内容】
【図４】
2018079270.tif 000012
【手続補正７】
【補正対象書類名】図面
【補正対象項目名】図５
【補正方法】変更
【補正の内容】
【図５】
2018079270.tif 000013
【手続補正８】
【補正対象書類名】図面
【補正対象項目名】図６
【補正方法】変更
【補正の内容】
【図６】
2018079270.tif 000014
【手続補正９】
【補正対象書類名】図面
【補正対象項目名】図８
【補正方法】変更
【補正の内容】
【図８】
2018079270.tif 000015